(57)【要約】【課題】利用者が、容易に伸縮でき、且つ保温性能が劣化しない哺乳器用保温ケースを提供すること。【解決手段】哺乳器２００を収容する収容本体部１１０と、この収容本体部の上方側に哺乳器を挿入等するための開口部１２０が形成されており、前記収容本体部は、発泡材料を含む断熱素材１１０ｃ等を備え、前記収容本体部の少なくとも前記開口部よりも下側には、収容容積を変化させるための略円筒状の折り畳み部１３０が形成され、この折り畳み部の上端側及び下端側には、スライダー部１４１を有するファスナー部１４０のエレメント部１４２ａ等がそれぞれ配置されていると共に、これら両側のエレメント部は、その一端側が相互に結合し分離しない止め部１４３となり、前記止め部が、前記折り畳み部の前記上端側と下端側との間の略中央部に配置されている哺乳器用保温ケース１００である。【選択図】　図１
2004008254.tif 000002
【特許請求の範囲】
【請求項１】
哺乳器を収容する収容本体部と、
この収容本体部の上方側に哺乳器を挿入等するための開口部が形成されている哺乳器用保温ケースであって、
前記収容本体部は、発泡材料を含む断熱素材を備え、
前記収容本体部の少なくとも前記開口部よりも下側には、収容容積を変化させるための略円筒状の折り畳み部が形成され、
この折り畳み部の上端側及び下端側には、スライダー部を有するファスナー部のエレメント部がそれぞれ配置されていると共に、これら両側のエレメント部は、その一端側が相互に結合し分離しない止め部となり、
前記止め部が、前記折り畳み部の前記上端側と下端側との間の略中央部に配置されていることを特徴とする哺乳器用保温ケース。
【請求項２】
前記折り畳み部の前記上端側と下端側との間の略中央部において、且つ前記略円筒状の外形の周方向に沿って、折り畳みを促進する脆弱部が形成されていることを特徴とする請求項１に記載の哺乳器用保温ケース。
【請求項３】
前記収容本体部の前記開口部が形成されている開口領域は、略角柱状とされており、開口部形成面と略直交する面の少なくと一方の面は、利用者の手を保持するベルト状の手がかり部が形成される手がかり面とされて、その上部に開閉可能なループ部を形成する構成であることを特徴とする請求項１又は請求項２に記載の哺乳器用保温ケース。
【請求項４】
前記手がかり部の上端部は、前記手がかり面の上端部に固定され、
前記手がかり部の下端部には、前記手がかり面の下端部と着脱可能に連結される手がかり部側連結手段が形成されていると共に、
前記手がかり面側の下端部には、前記手がかり部側連結手段と着脱可能に連結される手がかり面側連結手段が形成されて、手がかり部を配置可能とされており、
前記手がかり部の上端部には、前記手がかり部の下端部の前記手がかり部側連結手段が着脱可能の連結できる上端部側連結手段が形成されて、前記ループ部を形成可能としていることを特徴とする請求項３に記載の哺乳器用保温ケース。
【請求項５】
前記開口部には、その周囲に型保持部材が配置されていることを特徴とする請求項１乃至請求項４のいずれかに記載の哺乳器用保温ケース。
【請求項６】
前記開口部には、その両端部に前記止め部が設けられ、２つのスライダー部で開閉をおこなうファスナー部が形成されていることを特徴とする請求項１乃至請求項５のいずれかに記載の哺乳器用保温ケース。
【発明の詳細な説明】
【０００１】
【発明の属する技術分野】
本発明は、哺乳器を保温することで、例えば授乳中にミルク等が冷めないようにケースに収容した状態で、乳幼児等に授乳等することができる哺乳器用保温ケースに関するものである。
【０００２】
【従来の技術】
近年、哺乳瓶等の哺乳器等には、その長さ等が異なる様々な種類の哺乳器が開発され用いられている。また、従来の哺乳器とは異なり、例えば５００ｍｌ等のプラスチックボトルに人工乳首を取り付け、哺乳器とし使用するものも開発されてきた。
これらの各種の哺乳器等を使用する利用者は、自宅での授乳等に用いるのみならず、外出先での授乳等にも使用するため持ち運ぶことになる。
このように哺乳器等を持ち運ぶ際、容器内にお湯等を予め充填して運び、使用時に粉ミルクを溶かして授乳することがあり、このとき、このミルク用のお湯等を保温するため哺乳器用保温ケースが必要となる。
【０００３】
【発明が解決しようとする課題】
しかし、このような哺乳器用保温ケースは、その中に収める哺乳器等の長さ等が異なるため、長いものやプラスチックボトルが収容できない場合があり、哺乳器用保温ケースを大型としたものもある。しかし、育児期間における外出時にはおむつ等により、荷物が多くなるために、かかる大型の哺乳器用保温ケースは携帯し難い。
また、他の解決策として、哺乳器用保温ケースの長さを短くしたり、長くしたりする伸縮機構が採用されているものもある。
しかし、これらの伸縮機構は、それほど大きくない哺乳器用保温ケースの一部に取り付けるため、どうしても機構等が小型化し、その機構を操作する使用者が操作し難いという問題があった。
また、伸縮機構を設ける哺乳器用保温ケースの該当部分は、伸縮し易い構成とするため、他の部分より厚みが薄く形成されていた。そして、これがため、哺乳器用保温ケースを伸ばして使用する際、この伸ばされた部分の保温性能が不十分となり、中に収容している哺乳器等のミルク用のお湯等が保温されないという問題もあった。
【０００４】
本発明は、以上の点に鑑み、利用者が、容易に伸縮させることができ、且つ保温性能が劣化しない哺乳器用保温ケースを提供することを目的とする。
【０００５】
【課題を解決するための手段】
前記目的は、請求項１の発明によれば、哺乳器を収容する収容本体部と、この収容本体部の上方側に哺乳器を挿入等するための開口部が形成されている哺乳器用保温ケースであって、前記収容本体部は、発泡材料を含む断熱素材を備え、前記収容本体部の少なくとも前記開口部よりも下側には、収容容積を変化させるための略円筒状の折り畳み部が形成され、この折り畳み部の上端側及び下端側には、スライダー部を有するファスナー部のエレメント部がそれぞれ配置されていると共に、これら両側のエレメント部は、その一端側が相互に結合し分離しない止め部となり、前記止め部が、前記折り畳み部の前記上端側と下端側との間の略中央部に配置されていることを特徴とする哺乳器用保温ケースにより達成される。
【０００６】
請求項１の構成によれば、前記スライダー部を移動させることで前記両側のエレメント部が相互にかみ合い、前記折り畳み部が折り畳まれ、前記収容本体部が長手方向において縮小する。
逆に、前記スライダー部を逆方向に移動させることで、前記両側のエレメント部が相互に離間し、前記折り畳み部が伸長する。
このため、収容本体部内に収容される哺乳器等が長いときは、前記折り畳み部を伸ばし、逆に哺乳器が短いときは、前記折り畳み部を縮めることで、常に、哺乳器の長さに適した長さの哺乳器用保温ケースとすることができ、携帯性を高めると共に保温効率も高めている。
また、前記収容本体部には前記発泡材料を含む断熱素材を備えているので、前記折り畳み部も同様に断熱素材を備えている。
したがって、前記エレメント部を相互に離間し前記折り畳み部を伸長した際にも、前記折り畳み部の保温性を確保することができる。
前記折り畳み部は略円筒状であるため、前記スライダー部の移動は周方向に行われるので、滑らかにスライダー部を移動させることができる。
【０００７】
好ましくは、請求項２の発明によれば、請求項１の構成において、前記折り畳み部の前記上端側と下端側との間の略中央部において、且つ前記略円筒状の外形の周方向に沿って、折り畳みを促進する脆弱部が形成されていることを特徴とする哺乳器用保温ケースである。
【０００８】
請求項２の構成によれば、折り畳みを促進する脆弱部が形成されているので、前記折り畳み部が前記発泡材料を含む断熱素材によって厚く形成され、折り畳まれ難い場合でも、この脆弱部によって、内側に「く」の字状に折り畳まれ易いため、前記折り畳み部が折り畳まれ易くなっている。
【０００９】
好ましくは、請求項３の発明によれば、請求項１又は請求項２の構成において、前記収容本体部の前記開口部が形成されている開口領域は、略角柱状とされており、開口部形成面と略直交する面の少なくと一方の面は、利用者の手を保持するベルト状の手がかり部が形成された手がかり面とされて、その上部に開閉可能なループ部を形成する構成であることを特徴とする哺乳器用保温ケースである。
【００１０】
請求項３の構成によれば、前記収容本体部の前記略角柱状で開口部が形成されている開口部形成面と略直交する面の少なくとも一方の面である手がかり面には、利用者の手を保持するベルト状の手がかり部が形成されている。
このため、利用者が前記手がかり面に手を配置し、手を水平にすれば、前記開口部から、前記収容本体部内に収容されている哺乳器の人工乳首等を容易に前記開口部から突出させることができる。
したがって、前記収容本体部内に哺乳器等を収納した状態で、人工乳首等で乳幼児等に授乳させやすい哺乳器用保温ケースとなっている。また、哺乳器等は収納されているので、授乳時にミルク等が冷めてしてまう等も防ぐことができる。
【００１１】
また、前記手がかり面には、利用者の手を保持するベルト状の手がかり部が形成されているので、利用者が前記手がかり面に手を配置した際に、このベルト状の手がかり部によって、より確実に自己の手を前記手がかり面に配置することができる。
さらに、前記手がかり部よりも上部に、ループを開閉可能としたループ部を設けてあるため、例えばベビーカーのハンドルなどに掛けた状態で持ち運びできる。
【００１２】
好ましくは、請求項４の発明によれば、請求項３の構成において、前記手がかり部の上端部は、前記手がかり面の上端部に固定され、前記手がかり部の下端部には、前記手がかり面の下端部と着脱可能に連結される手がかり部側連結手段が形成されていると共に、前記手がかり面側の下端部には、前記手がかり部側連結手段と着脱可能に連結される手がかり面側連結手段が形成されて、手がかり部を配置可能とされており、前記手がかり部の上端部には、前記手がかり部の下端部の前記手がかり部側連結手段が着脱可能の連結できる上端部側連結手段が形成されて、前記ループ部を形成可能としていることを特徴とする哺乳器用保温ケースである。
【００１３】
請求項４の構成によれば、前記手がかり部の上端部は、前記手がかり面の上端部に固定され、前記手がかり部の下端部には、前記手がかり面の下端部と着脱可能に連結される手がかり部側連結手段が形成されていると共に、前記手がかり面側の下端部には、前記手がかり部側連結手段と着脱可能に連結される手がかり面側連結手段が形成されて、手がかり部を配置可能とされており、前記手がかり部の上端部には、前記手がかり部の下端部の前記手がかり部側連結手段が着脱可能の連結できる上端部側連結手段が形成されて、前記ループ部を形成可能としている。
【００１４】
このため、前記手がかり部の下端部の前記手がかり部側連結手段を、前記手がかり面の下端部の前記手がかり面側連結手段と連結すると、前記ベルト状の手がかり部が、哺乳器用保温ケースに形成され、上述のように授乳等を行うことができる。
また、単に哺乳器用保温ケースを持ち歩くときは、前記手がかり部の下端部の手がかり部側連結手段を、前記手がかり面の下端部の前記手がかり面連結手段から外し、前記手がかり部の上端部の上端部側連結手段と連結させる。
これにより、前記手がかり部は、哺乳器用保温ケースの上端部にループ状に形成された取っ手となるので、哺乳器用保温ケースの持ち運びが容易となる。
【００１５】
好ましくは、請求項５の発明によれば、請求項１乃至請求項４のいずれかの構成において、前記開口部には、その周囲に型保持部材が配置されていることを特徴とする哺乳器用保温ケースである。
【００１６】
請求項５の構成によれば、前記開口部には、その周囲に型保持部材が配置されている。このため、前記開口部の開閉が行い易く、さらに、利用者が前記手がかり面に手を配置し、手を水平にすると、前記開口部の一側には重力によって開く方向に力が働き、この状態で前記収容本体部内に収容されている哺乳器の人工乳首等を前記開口部から突出させると、その重さで更に開く方向に力が加わる。
しかし、前記開口部の周囲に配置されている型保持部材が哺乳器の一部に当接して、哺乳器が誤って前記開口部から脱落するのを未然に防止することができる。
【００１７】
好ましくは、請求項６の発明によれば、請求項１乃至請求項５のいずれかの構成において、前記開口部には、その両端部に前記止め部が設けられ、２つのスライダー部で開閉をおこなうファスナー部が形成されていることを特徴とする請求項１乃至請求項５のいずれかに記載の哺乳器用保温ケースである。
【００１８】
請求項６の構成によれば、前記開口部には、その両端部に前記止め部が設けられ、２つのスライダー部で開閉をおこなうファスナー部が形成されている。
このため、前記開口部の略中央部に哺乳器の人工乳首等を突出させる場合、両端部から前記スライダー部を移動させ、人工乳首等が突出している部分以外は、前記エレメント部を閉状態にすることで、前記開口部の開口幅と開口位置とを適切な位置に容易に調整することができるので、哺乳器等の脱落を防ぎ、利用者が乳幼児等に授乳等をさせ易く、更に、保温効果の低減を抑えた哺乳器用保温ケースとなる。
【００１９】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
図１及び図２は、本発明の第１の実施の形態に係る、哺乳器用保温ケース１００を示す概略斜視図である。
【００２１】
（第１の実施の形態に係る哺乳器用保温ケース１００の構成の概略等について）先ず、哺乳器用保温ケース１００の構成の概略等を説明、その後、詳細に説明する。
図１に示すように、哺乳器用保温ケース１００には、後述する哺乳器２００を収容する収容本体部であるケース本体１１０と、このケース本体１１０の上方側に哺乳器２００を挿入等するための開口部１２０が形成されている。
そして、ケース本体１１０は、発泡材料を含む断熱素材である例えば、軟質ウレタンフォームやアルミ蒸着発泡ポリウレタンマット等を備え、ケース本体１１０の少なくとも開口部１２０よりも下側、例えば底面側には、収容容積を変化させるための略円筒状の折り畳み部１３０が形成されている。
【００２２】
この折り畳み部１３０の上端側及び下端側には、スライダー１４１を有するファスナー１４０のエレメント部である上端側エレメント１４２ａ及び下端側エレメント１４２ｂが、それぞれ配置されていると共に、これら上端側エレメント１４２ａ及び下端側エレメント１４２ｂは、その一端側が相互に結合し分離しない止め部１４３となっている。
なお、前記エレメント部とは、務歯及び務歯を備えたファスナーテープ等と呼ばれるものも含むものであり、スライダー１４１の動きによって係合し、又は係合が解除される機構を有する係合部の意味である。
この止め部１４３は、図１の折り畳み部１３０の上端側と下端側との間の略中間部に配置されている。
【００２３】
したがって、図１のスライダー１４１を図において下方向に移動させることで、上端側エレメント１４２ａ及び下端側エレメント１４２ｂが相互にかみ合い、折り畳み部１３０が折り畳まれ、図３に示すようにケース本体１１０が長手方向において縮小する。
図３乃至図６は、図１の哺乳器用保温ケース１００の折り畳み部１３０を折り畳んだ状態を示す概略斜視図である。
逆に、図３の状態で、スライダー１４１を上述と逆方向に移動させることで、上端側エレメント１４２ａ及び下端側エレメント１４２ｂが相互に離間し、折り畳み部１３０が図１に示すように伸長する。
このため、ケース本体１１０に収容される哺乳器２００が長いときは、折り畳み部１３０を図１に示すように伸ばし、逆に、哺乳器が短いときは、折り畳み部１３０を図３に示すように縮めることで、常に、哺乳器２００等の長さに適した長さの哺乳器用保温ケース１００とすることができ、携帯性を高めると共に保温効率も高めている。
【００２４】
また、ケース本体１１０は、図３に示すように、内側にナイロンウレタンコーティング１１０ｂ、その外側に軟質ウレタンフォーム１１０ｃ、そして表面にポリエステル１１０ｄが配置されている。
なお、更に保温性を高めるために、最内層にアルミ層を蒸着した層を配置してもよい。
図７は、ケース本体１１０の断面構造を示す概略説明図である。
このようなケース本体１１０の構造は、折り畳み部１３０も同様であるので、上端側エレメント１４２ａ及び下端側エレメント１４２ｂを相互に離間し、図１に示すように折り畳み部１３０を伸長した際にも、折り畳み部１３０の保温性を劣化させずに確保することができる。
また、図１に示すように折り畳み部１３０は略円筒状であるため、スライダー１４１の移動は、周方向に行われるので、滑らかにスライダー１４１を移動させることができ、利用者の操作性が格段に向上する。
【００２５】
また、図１及び図８に示すように、哺乳器用保温ケース１００の開口部１２０には、第１のエレメント１２１ａ及び第２のエレメント１２１ｂが配置され、その両端部に止め部である第１の止め部１２２ａ及び第２の止め部１２２ｂが形成されている。
図８及び図９は、図１の哺乳器用保温ケース１００を他の方向から表した概略斜視図である。
そして、２つのスライダーである第１のスライダー１２０ａ及び第２のスライダー１２０ｂで、第１のエレメント１２１ａ及び第２のエレメント１２１ｂの開閉を行う構成となっている。
【００２６】
したがって、図８に示す第１のスライダー１２０ａと第２のスライダー１２０ｂとを、それぞれ第１の止め部１２２ａ及び第２の止め部１２２ｂの方向へ移動させることで、開口部１２０が開き、その中に哺乳器２００を挿入し、この開口部１２０の略中央部に図１０に示すように哺乳器２００の人工乳首２１０を突出させ、両側から第１のスライダー１２０ａと第２のスライダー１２０ｂを近づけるように移動させ、人工乳首２１０が突出している部分以外は、第１のエレメント１２１ａ及び第２のエレメント１２１ｂを閉状態にし、図１０に示すように、第１のスライダー１２０ａと第２のスライダー１２０ｂとで哺乳器２００を挟むように配置する。
このように、開口部１２０の開口幅と開口位置を適切な、そして任意な位置に容易に調整することができるので、哺乳器２００の脱落を防ぎ、利用者が乳幼児等に哺乳器２００を用いて授乳させ易く、保温効果の低減を抑えた哺乳器用保温ケース１００となる。
なお、図１０は、哺乳器用保温ケース１００を用いて寝た状態の乳幼児に授乳をしている状態を示す概略説明図である。
【００２７】
また、図８に示すように、開口部１２０とケース本体１１０との境界部である開口部１２０の周囲には、型保持部材であるパイピング部１２３が配置されている。このバイピング部１２３は、例えば外観上に表れる外枠として、ポリウレタン、コーティングした合成皮革や織物を使用し、その中に、ポリエチレン等による芯材を配置した部材を配置することで剛性を高めている。
そして、ケース本体１１０には、利用者が哺乳器用保温ケース１００を把持する際に、その把持を容易にする働きを有する手がかり部１５０が形成されている。
この手がかり部１５０は、図１に示すようにベルト状部材で形成され、図１１に示すように手がかり部１５０の上端部１５１と下端部１５２とがケース本体１１０に固定されている。
図１１及び図１２は、図１の哺乳器用保温ケース１００の概略中央縦断面図である。
【００２８】
したがって、手がかり部１５０の中央部１５３には、ケース本体１１０の表面と隙間が形成されている。このため、図１０に示すように、利用者が手がかり部１５０の前記隙間に手を差し入れることで、哺乳器用保温ケース１００をしっかりと把持しつつ、開口部１２０が乳幼児の顔に当たることなく、乳幼児に授乳させることができる。
また、この利用者の手を水平にすると、開口部１２０の一側である、図１の開口部の下側１２４には、重力によって開く方向に力が働き、この状態でケース本体１１０内に収容されている哺乳器２００の人工乳首２１０を開口部１２０から図１０に示すように突出させると、その重みで更に開く方向に力が加わることになる。
【００２９】
しかし、図１３に示すように、開口部１２０の周囲に配置されているパイピング部１２３が哺乳器２００の哺乳器本体２１１の一部である肩部２１２に当接し、係止して、更に、上述した第１及び第２のスライダー１２０ａ、１２０ｂによる挟持と相俟って、哺乳器２００全体が誤って開口部１２０から脱落するのを未然に防止する構成となっている。
また、このパイピング部１２３が形成されていることで、開口部１２０の開閉が行い易くなっている。
図１３は、哺乳器２００の哺乳器本体２１１とパイピング部１２３との係止状態を示す概略説明図である。
【００３０】
（第１の実施の形態に係る哺乳器用保温ケース１００の構成の詳細な説明について）
先ず、上述のように、図１に示すように、折り畳み部１３０には、ファスナー１４０が形成されているが、このファスナー１４０の止め部１４３である始端部と、ファスナー１４０の終端部１４４との位置関係は、図１４に示すように成っている。
図１４はファスナー１４０の始端部（止め部１４３）と終端部１４４との関係を折り畳み部１３０の底面側から示す概略説明図である。
図１のように折り畳み部１３０が伸びている状態から、ファスナー１４０のスライダー１４１を移動させると、先ず図１４に示すようにスライダー１４１は折り畳み部１３０を一周して元の位置、図１４のファスナー開始位置に戻る。
【００３１】
そして、さらにスライダー１４１は移動を続け、図１及び図１４のファスナーの終端部１４４で止まる構成となっており、この更に移動する重複範囲は、約４０ｍｍ程度であり、スライダー１４１の操作によって、その間の任意の地点でスライダー１４１を止めることで、調整可能となっている。
すなわち、図１４における折り畳み部１３０の底面側の中心点から半径方向に止め部１４３へ伸ばした線と終端部１４４に伸ばした線との角度θ１は、２５°乃至４０°と成っている。
なお、この場合における折り畳み部１３０の底面の直径は例えば８３ｍｍであり、折り畳み部１３０の外周は、２６０ｍｍであり、図１４におけるファスナー１４０の重複して形成されている距離（止め部１４３と終端部１４４との間の距離）は、４１ｍｍとなっている（この場合の角度θ１は３０°）。
【００３２】
また、図１５は、図１のファスナー１４０の止め部１４３の近傍を平面的に表した概略説明図である。
図１５に示すように、止め部１４３と上端側エレメント１４２ａと下端側エレメント１４２ｂとの配置角度θ２は３５°乃至４５°とされ、本実施の形態では、約４０°に形成されている。また、図１５のθ３である配置角度は、約２０°となっている。
このように図１５の配置角度θ２が約４０°で角度が大きすぎないので、折り畳み部１３０に発泡材料による断熱材料を採用し、厚さが大となった場合でも、利用者はスライダー１４１によるファスナー１４０の操作をし易い構成となっている。
また、前記配置角度θ２の角度が小さすぎると、利用者がスライダー１４１を操作する長さ（移動量）が大きくなりすぎるため、操作し難くなり、約４０にθ２をすることで使用者が操作し易いファスナー１４０となっている。
【００３３】
また、図１４に示すように、θ１の角度を３０°とし、前記重複して形成されている距離を４１ｍｍとすることで、図１５の止め部１４３と終端部１４４との間が４１ｍｍとなり、図１５のθ２の角度を約４０°とすることができるように構成されている。
【００３４】
このような略円筒状の折り畳み部１３０の上部には、図１に示すようにケース本体１１０が連接して形成されている。このケース本体１３０は、上述のように折り畳み部１３０と同様の素材等により構成されており、その内部の収容容積は、折り畳み部１３０を図１のように伸ばすことで大となり、図３に示すように縮めることで小となる構成となっている。
このケース本体１１０は、折り畳み部１３０と異なり、略円筒形ではなく、略角柱状とされており、図１の開口部１２０の面と略直交するように、手がかり部１５０が形成されている面である手がかり面１１１と下方面１１２（図８参照）が形成されている。
したがって、手がかり面１１１等は、手がかり部１５０を頂点とした、緩やかな曲面状に形成されているので、利用者が手がかり面１１１に、その掌を配置しやすい形状となっており、手がかり部１５０に手の甲を当接等させることで、より哺乳器用保温ケース１００を把持し易い構成となっている。
【００３５】
また、手がかり部１５０の上方には、図１及び図１１に示すように取っ手部１６０が形成されている。
この取っ手部１６０は、手がかり部１５０と同様のベルト状の部材を有し、このベルト状部材はケース本体１１０の手がかり面１１１で、その一端側が固定されている。
ベルト状部材の他端側は、図１１に示す長さ調整部１６１と係合されている。この長さ調整部１６１は、図１１に示すようにベルト状部材の位置を調整できるように構成されてる。
また、長さ調整部１６１の端部は、手がかり面１１１に着脱可能に固定されている。
このように構成されている取っ手部１６０は、利用者が自由にその輪の大きさを調整できるので、哺乳器用保温ケース１００を持ち運ぶ際に、利用者が把持し易い取っ手部１６０の長さに容易に調整することができると共に、長さ調整部１６１を着脱して取っ手部１６０を開閉することにより、様々な場所に掛けることができる。
【００３６】
本実施の形態では、手がかり部１５０には、ベルト状部材の長さ調整部が形成されていない例を示しているが、これに限らず、図１１の手がかり部１５０のベルト状部材の長さを調整するためのベルト調整部を取っ手部１６０と同様に形成しても構わない。
この場合は、利用者の手の大きさ等に合わせて自由に手がかり部１５０の長さを調整でき、使い勝手が更に向上することとなる。
【００３７】
図１６及び図１７は、本実施の形態に係る哺乳器用保温ケース１００に収容する哺乳器である例えば、哺乳器（大）２００ａ及び哺乳器（小）２００ｂを示す概略正面図である。
これらの哺乳器２００ａ、２００ｂは、例えば哺乳瓶となっているが、哺乳器には、５００ｍｌ程度収容可能なＰＥＴボトルなどのプラスチックボトルに人工乳首を配置したものも含まれ、広く人工乳首が形成可能な容器はすべて哺乳器に含まれる。
図１６等に示すように哺乳器２００ａ等は、温めたミルク等を収容する哺乳器本体２１１ａ等にキャップ２１３ａ等を介して人工乳首２１０ａ等が接続されている。
そして、この哺乳器本体２１１ａ等の上部には、その径が縮径する部分があり、肩部２１２ａ等が形成されている。
この肩部２１２ａ等が、上述のように、図１３で示すパイピング部１２３によって係止等され、哺乳器２００ａ等全体の脱落を防止することになる。
【００３８】
（哺乳器用保温ケース１００の使用方法等について）
以上が、本実施の形態に係る哺乳器用保温ケース１００の構成であるが、以下に哺乳器用保温ケース１００の使用方法等について説明する。
先ず、利用者である母親等が自己の乳幼児に、外出先で授乳させるため温めたミルク用のお湯を、例えば図１６に示すような哺乳器（大）２００ａに入れる。このままでは、直ぐにお湯が冷めてしまうので、図１の示すような哺乳器用保温ケース１００を使用する。この哺乳器用保温ケース１００の開口部１２０の図８に示す２つのスライダー１２０ａ、１２０ｂを移動させ、開口部を開けて中に図１６に示す哺乳器（大）２００ａを収容する。
【００３９】
このとき、図１の折り畳み部１３０は、図１のように伸びている状態なので、そのままの状態で哺乳器（大）２００ａを収容することで、哺乳器用保温ケース１００と哺乳器（大）の大きさが合致した状態となる。
したがって、哺乳器用保温ケース１００が、上述のように断熱構造となっているため、哺乳器（大）内のミルクを冷ますことなく、持ち運ぶことができる。
特に、折り畳み部１３０も、ケース本体１１０と同様の断熱構造を有するので、折り畳み部１３０で保温性が劣化することがない。
また、母親等が持ち運ぶとき、図１の取っ手部１６０の輪の大きさを長さ調整部１６１で調整することや、取っ手部１６０を開閉することにより、母親等の持ちやすい取っ手部１６０となり、持ち運びやすい哺乳器用保温ケース１００となる。
【００４０】
このようにして哺乳器用保温ケース１００を外出先に持ち運び、ミルク用のお湯に粉ミルクを溶かして、乳幼児に授乳するときは、図４に示す開口部１２０の２つのスライダー１２０ａ、１２０ｂを僅かに開け、図１０及び図１３に示すように、哺乳器（大）２００ａの人工乳首２１０ａ等とキャップ２１３ａ等を、開口部１２０から突出させる状態にする。
このとき、開口部１２０の２つのスライダー１２０ａ、１２０ｂは、哺乳器（大）のキャップ２１３ａ等の下部近傍を挟み込むように配置される。
【００４１】
そして、図１０に示すように、手をケース本体１１０の手がかり面１１１にあてがい、手がかり面１１１と手がかり部１５０との間に差し込むことで、哺乳器用保温ケース１００をしっかり把持し、手を地面と略水平にする。
すると、図１０に示すように母親は乳幼児に哺乳器（大）２００ａで授乳し易い状態となる。
また、このとき図１の開口部１２０の開口部の下側１２４は、哺乳器（大）２００ａの重さと重力で下方に撓もうとする力が働くが、図１３に示すように、パイピング部１２３が哺乳器（大）２００ａの哺乳器本体２１１ａの肩部２１２ａに当接し、更に、スライダー１２０ａ、１２０ｂを図１３に示すように僅かに閉じることで、肩部２１２ａを係止するので、哺乳器（大）２００ａの脱落等が防止されることになる。
【００４２】
以上のようにして、授乳が終了し、母親が帰宅した後、後日、別の哺乳器（小）２００ｂ（図１７参照）にミルク用のお湯を入れ、哺乳器用保温ケース１００を使用する場合ある。
このときは、哺乳器（小）２００ｂが小さいので、図１の折り畳み部１３０のスライダー１４１を移動させ、図３のように折り畳み部１２０を折り畳むことになる。
このとき、折り畳み部１３０は、上述のように断熱素材等を有する断熱構造を有し、厚手に形成され、折り畳み難い厚さを有しているが、図１の止め部１４３と上端側エレメント１４２ａ並びに下端側エレメント１４２ｂとの角度θ２は約４０°に配置されているので、利用者はスムーズにスライダー１４２を移動させることができる。
【００４３】
したがって、母親はスライダー１４２を操作して折り畳み部１３０を折り畳み、図３の状態にし易い哺乳器用保温ケース１００となり、その大きさがコンパクトになる。
このように折り畳まれた哺乳器用保温ケース１００は、哺乳器（小）２００ｂを収容するに適した収容容積となっているため、哺乳器用保温ケース１００内の容積が大きすぎて保温性が劣ることがない。
このように、保温性を維持しつつ外出先では、哺乳器（大）２００ａと同様に乳幼児に授乳することとなる。
【００４４】
以上のように本実施の形態の哺乳器用保温ケース１００は、哺乳器２００の大きさに合わせて、その内部の収容容積を変えることができ、また、この際、保温性能が劣化することがない。
また、哺乳器用保温ケース１００に入れた状態で、乳幼児に適切に授乳でき、また授乳をし易い哺乳器用保温ケース１００である。
さらに、授乳時に哺乳器２００が哺乳器用保温ケース１００から脱落することもないので、安心して授乳できる哺乳器用保温ケース１００である。
【００４５】
（第２の実施の形態）
図１８及び図１９は、本発明の第２の実施の形態に係る哺乳器用保温ケース３００を示す概略図である。
本実施の形態の哺乳器用保温ケース３００は、その多くの構成が上述の第１の実施の形態と同様の構成と成っている。したがって、本実施の形態に係る哺乳器用保温ケース３００の説明において、第１の実施の形態と同様の構成の部分は同一符号等を付し、説明を省略する。
【００４６】
図１８に示すように、哺乳器用保温ケース３００は、ケース本体３１０の開口部１２０が形成されている開口領域は、略角柱状とされており、開口部形成面と略直交する面の少なくと一方の面は、利用者の手を保持するベルト状の手がかり部が形成された手がかり面３１１（第１の実施の形態の手がかり面１１１に相当）とされて、その上部に開閉可能なループ部とも成る取っ手兼用手がかり部３５０が形成されている。
そして、この取っ手兼用手がかり部３５０の上端部３５０ａは、手がかり面３１１の上端部３１１ａに固定されている。
また、この手がかり部３５０の下端部には、手がかり面３１１の下端部と着脱可能に連結される手がかり部側連結手段である雄側ホック３５１が形成されていると共に、手がかり面３１１の下端側には、前記雄側ホック３５１と着脱可能に連結される雌側ホック３１２が形成されて、取っ手兼用手がかり部３５０を配置可能とされている。
そして、手がかり部１５０の上端部３５０ａには、手がかり部３５０の下端部の雄側ホック３５１が着脱可能に連結できる、上端部側連結手段であるである雌側ホック３５２が形成されて、前記ループ部である取っ手を形成可能としている。
【００４７】
したがって、利用者が前記第１の実施の形態と同様に、手がかり面３１１に手を配置し、手を略水平にすれば、開口部１２０からケース本体３１０内に収容されている哺乳器２００等の人工乳首２１０等を容易に開口部１２０から突出させることができる。
したがって、ケース本体３１０内に哺乳器２００等を収納した状態で、人工乳首２１０等で乳幼児等に授乳させやすい哺乳器用保温ケース３００となっている。また、哺乳器２００等は収納されているので、授乳時にミルク等が冷めてしまう等も防ぐことができる。
さらに、手がかり面３１１には、利用者の手を保持するベルト状部材の取っ手兼用手がかり部３５０が形成されているので、利用者が手がかり面３１１に手を配置した際に、この取っ手兼用手がかり部３５０によって、より確実に自己の手を手がかり面に配置することができる。
【００４８】
そして、図１９に示すように、前記取っ手兼用手がかり部３５０の上端部３５０ａよりも上部に、ループ部を設けることができるので、例えばベビーカーのハンドルなどに掛けた状態で持ち運びできることとなる。
また、図１８の取っ手兼用手がかり部３５０の下端部の雄側ホック１５１を手がかり面３１１の雌側ホック３１２（図１９参照）と連結すると、取っ手兼用手がかり部３５０が図１８に示すようにケース本体３１０に形成され、手がかり部として上述のように授乳を行うことができる。
【００４９】
また、単に哺乳器用保温ケース３００を持ち歩くときは、上述のように、取っ手兼用手がかり部３５０の下端部の雄側ホック３５１を前記ケース本体３１１の雌側ホック３１２から外し、図１９に示すように、取っ手兼用手がかり部３５０の上端部の雌側ホック３５２と連結させる。
これにより、取っ手兼用手がかり部３５０は、図１９に示すように哺乳器用保温ケース３００の上端部にループ状に形成された取っ手となるので、哺乳器用保温ケース３００の持ち運びが容易となる。
【００５０】
図２０は、図１８及び図１９に示す、雄側ホック３５１と雌側ホック３５２、３１２の具体的構成例を示す概略斜視図である。
図２０に示すように雄側ホック３５１は、係合端３５１ａを有し、雌側ホック３５２等は係合スプリング３５２ａ等を有している。
したがって、雄側ホック３５１の係合端３５１ａが、雌側ホック３５２に差し込まれると、その力で雌側ホック３５２等の係合スプリング３５２ａ等が動き、係合端３５１ａを受け入れる。
係合端３５１ａが係合スプリング３５２ａ等を越えて奥に入り込むと、係合スプリング３５２ａが元の状態に戻り、両者は連結されることになる。
逆に、雄側ホック３５１を雌側ホック３５２等から離間する方向に利用者が引けば、係合スプリング３５２ａ等が動いて、両者の連結が解除されることになる。
【００５１】
ところで、図１８の折り畳み部１３０の上端側と下端側との間の略中央部において、且つ折り畳み部１３０の略円筒状の外形の周方向に沿って、折り畳みを促進する脆弱部であるミシン目１３１が形成されている。
【００５２】
したがって、ミシン目１３１が形成されているので、図１８の折り畳み部１３０が上述のように軟質ウレタンフォーム１１０ｃ等によって厚く形成され、これによって、折り畳みにくい場合でも、このミシン目１３１によって、内側に「く」の字状に折り畳まれ易いため、折り畳み部１３０全体が折り畳まれ易くなっている。
なお、この脆弱部はミシン目１３１だけでなく、その位置で内方に向かって折り重ねて縫合することで形成しても良く、蛇腹状に成形してもよい。
【００５３】
また、折り畳み部１３０には、第１の実施の形態のように、断熱素材等を有する断熱構造を有し、厚手に形成され、折り畳み難い厚さを有している。
しかし、折り畳み部１３０には、図１８に示すように、その略中央部にミシン目１３１が形成されているため、このミシン目１３１が脆弱線となり、折り畳み部１３０が折り畳まれ易い構成となっている。
【００５４】
このように本実施の形態によれば、第１の実施の形態と異なり、簡単な操作で、手がかり部と取っ手を兼用することができるので、取り扱いがより便利になる哺乳器用保温ケース３００となる。さらに、折り畳み部１３０にミシン目１３１等の脆弱部が設けされていることで、折り畳み部１３０の伸縮操作が行い易くなっている。
【００５５】
本発明は、上述の各実施の形態に限定されない。さらに、上述の各実施の形態は、相互に組み合わせて構成するようにしてもよい。
また、哺乳器用保温ケース１００、３００は、乳幼児が成長し、哺乳器２００ａ、ｂが不要となった場合には、２５０ｍｌや５００ｍｌ等の各種サイズ（長さ）のあるＰＥＴボトル等のプラスチックボトル等の容器などを、冷やし、持ち運ぶ際に温まる（ぬるくなる）ことを防ぐ、保冷ケースとしても使用することができる。
【００５６】
【発明の効果】
以上述べたように、本発明によれば、利用者が、容易に伸縮させることができ、且つ保温性能が劣化しない哺乳器用保温ケースを提供することができる。
【図面の簡単な説明】
【図１】本発明の第１の実施の形態に係る、哺乳器用保温ケースを示す概略斜視図である。
【図２】本発明の第１の実施の形態に係る、哺乳器用保温ケースを示す他の概略斜視図である。
【図３】図１の哺乳器用保温ケースの折り畳み部を折り畳んだ状態を示す概略斜視図である。
【図４】図１の哺乳器用保温ケースの折り畳み部を折り畳んだ状態を示す他の概略斜視図である。
【図５】図１の哺乳器用保温ケースの折り畳み部を折り畳んだ状態を示す他の概略斜視図である。
【図６】図１の哺乳器用保温ケースの折り畳み部を折り畳んだ状態を示す他の概略斜視図である。
【図７】ケース本体の断面構造を示す概略説明図である。
【図８】図１の哺乳器用保温ケースを他の方向から表した概略斜視図である。
【図９】図１の哺乳器用保温ケースを他の方向から表した他の概略斜視図である。
【図１０】哺乳器用保温ケースを用いて乳幼児に授乳をしている状態を示す概略説明図である。
【図１１】図１の哺乳器用保温ケースの概略中央縦断面図である。
【図１２】図１の哺乳器用保温ケースの他の概略中央縦断面図である。
【図１３】哺乳器の哺乳器本体とパイピング部との係止状態を示す概略説明図である。
【図１４】ファスナーの始端部（止め部）と終端部との関係を折り畳み部の底面側から示す概略説明図である。
【図１５】図１のファスナーの止め部の近傍を平面的に表した概略説明図である。
【図１６】本実施の形態に係る哺乳器用保温ケースに収容する哺乳器である例えば、哺乳器（大）を示す概略正面図である。
【図１７】本実施の形態に係る哺乳器用保温ケースに収容する哺乳器である例えば、哺乳器（小）を示す概略正面図である。
【図１８】本発明の第２の実施の形態に係る哺乳器用保温ケースを示す概略図である。
【図１９】本発明の第２の実施の形態に係る哺乳器用保温ケースを示す他の概略図である。
【図２０】図１８及び図１９に示す、雄側ホックと雌側ホックの具体的構成例を示す概略斜視図である。
【符号の説明】
１００、３００・・・哺乳器用保温ケース、１１０・・・ケース本体、１１０ｂ・・・ナイロンウレタンコーティング、１１０ｃ・・・軟質ウレタンフォーム、１１０ｄ・・・ポリエステル、１１１、３１１・・・手がかり面、１１２・・・下方面、１２０・・・開口部、１２０ａ・・・第１のスライダー、１２０ｂ・・第２のスライダー、１２１ａ・・・第１のエレメント、１２１ｂ・・・第２のエレメント、１２２ａ・・・第１の止め部、１２２ｂ・・・第２の止め部、１２３・・・パイピング部、１２４・・・開口部の下側、１３０・・・折り畳み部、１３１・・・ミシン目、１４０・・・ファスナー、１４１・・・スライダー、１４２ａ・・・上端側エレメント、１４２ｂ・・・下端側エレメント、１４３・・・止め部、１４４・・・終端部、１５０・・・手がかり部、１５１・・・上端部、１５２・・・下端部、１５３・・・中央部、１６０・・・取っ手部、１６１・・・長さ調整部、２００・・・哺乳器、２１０・・・人工乳首、２１１・・・哺乳器本体、２１２・・・肩部、２１３・・・キャップ、３１１ａ・・・上端部、３１２・・・雌側ホック、３５０・・・取っ手兼用手がかり部、３５０ａ・・・上端部、３５１・・・雄側ホック、３５１ａ・・・係合端、３５２・・・雌側ホック、３５２ａ・・・係合スプリング
【図１】
2004008254.tif 000003
【図２】
2004008254.tif 000004
【図３】
2004008254.tif 000005
【図４】
2004008254.tif 000006
【図５】
2004008254.tif 000007
【図６】
2004008254.tif 000008
【図７】
2004008254.tif 000009
【図８】
2004008254.tif 000010
【図９】
2004008254.tif 000011
【図１０】
2004008254.tif 000012
【図１１】
2004008254.tif 000013
【図１２】
2004008254.tif 000014
【図１３】
2004008254.tif 000015
【図１４】
2004008254.tif 000016
【図１５】
2004008254.tif 000017
【図１６】
2004008254.tif 000018
【図１７】
2004008254.tif 000019
【図１８】
2004008254.tif 000020
【図１９】
2004008254.tif 000021
【図２０】
2004008254.tif 000022